【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
受光部に発生した電荷を垂直転送と水平転送とを繰り返して読み出す撮像素子を有し、該撮像素子により得られた画像情報を信号処理部により信号処理して画像データとして出力するカメラ部と、
前記カメラ部からの画像データあるいは外部からの画像データを記憶するメモリと、
無線通信によりデータの送信を行う高周波部と、
前記カメラ部での撮像の制御と、前記メモリに記憶された画像データを前記高周波部を介して送信する制御とを行う制御部と、
各部が配置される基板上に、前記撮像素子の水平転送手段に平行になるように基板上に配置された水平アンテナと、
各部が配置される基板上に、前記撮像素子の垂直転送手段に平行になるように基板上に配置された垂直アンテナと、を有し、
前記制御部は、画像データの送信と撮像のタイミングとが重なった場合に、垂直転送時には水平アンテナを使用し、水平転送時には垂直アンテナを使用するように切り替えの制御を実行する
ことを特徴とするカメラモジュール。
【請求項２】
前記カメラ部のレンズを保持する鏡筒上に更にアンテナを有する、
ことを特徴とする請求項１記載のカメラモジュール。
【請求項３】
前記カメラ部のレンズを保持する鏡筒上に更に２つのアンテナを有する、
ことを特徴とする請求項１記載のカメラモジュール。
【手続補正２】
【補正対象書類名】明細書
【補正対象項目名】０００３
【補正方法】変更
【補正の内容】
【０００３】
また、カメラモジュールと無線送信機とが一つの筐体に収められた無線カメラ装置も存在している。この先行技術文献として、例えば、以下のものが存在している。以下の特許文献１（段落番号［００１６］、図２）では、制御部、映像撮影部、送受信部、電源部などから無線撮影端末の装置が構成されている。また、以下の特許文献２（段落番号［００２３］、図３））では、カメラ部ブロック、信号処理部ブロック、制御部ブロック、送受信部ブロック、アンテナ部ブロック、でカメラユニットの装置が構成されている。このように、無線送信機や無線アンテナとの関係で、カメラモジュール自体は小型であるのに装置全体としては小型でなくなってしまう問題が生じていた。
【手続補正３】
【補正対象書類名】明細書
【補正対象項目名】０００４
【補正方法】変更
【補正の内容】
【０００４】
なお、電子回路とＲＦ回路やアンテナを一体化し、小型に構成する技術が以下の特許文献３に提案されている。
【特許文献１】特開２００５−２６８３２号公報
【特許文献２】特開２００５−５１７１０号公報
【特許文献３】特開平５−２５０５２９号公報（第１頁、図１）
【手続補正４】
【補正対象書類名】明細書
【補正対象項目名】０００５
【補正方法】変更
【補正の内容】
【０００５】
以上の特許文献３に開示された技術は、ＩＣとアンテナとを一体に組み込んだものであり、カメラモジュールに適用することはできないものである。
すなわち、カメラモジュールと無線送信機とが一つの筐体に収められた無線カメラ装置を小型化する際には、以上の特許文献３の技術を適用することはできなかった。
【手続補正５】
【補正対象書類名】明細書
【補正対象項目名】００１０
【補正方法】変更
【補正の内容】
【００１０】
すなわち、前記した課題は、以下に列記する各発明によって解決される。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
このカメラモジュールの発明は、受光部に発生した電荷を垂直転送と水平転送とを繰り返して読み出す撮像素子を有し、該撮像素子により得られた画像情報を信号処理部により信号処理して画像データとして出力するカメラ部と、前記カメラ部からの画像データあるいは外部からの画像データを記憶するメモリと、無線通信によりデータの送信を行う高周波部と、前記カメラ部での撮像の制御と、前記メモリに記憶された画像データを前記高周波部を介して送信する制御とを行う制御部と、各部が配置される基板上に、前記撮像素子の水平転送手段に平行になるように基板上に配置された水平アンテナと、各部が配置される基板上に、前記撮像素子の垂直転送手段に平行になるように基板上に配置された垂直アンテナと、を有し、前記制御部は、画像データの送信と撮像のタイミングとが重なった場合に、垂直転送時には水平アンテナを使用し、水平転送時には垂直アンテナを使用するように切り替えの制御を実行することを特徴とする。
また、このカメラモジュールの発明では、前記カメラ部のレンズを保持する鏡筒上に更にアンテナを有する、ことを特徴とする。また、このカメラモジュールの発明では、前記カメラ部のレンズを保持する鏡筒上に更に２つのアンテナを有する、ことを特徴とする。
【手続補正１２】
【補正対象書類名】明細書
【補正対象項目名】００１７
【補正方法】変更
【補正の内容】
【００１７】
以上、説明したように、本発明によれば、以下のような効果が得られる。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】変更
【補正の内容】
【００３１】
このカメラモジュールの発明では、撮像素子では、受光部に発生した電荷を垂直転送と水平転送とを繰り返して読み出す構成であり、画像データの送信と次の撮像のタイミングとが重なった場合に、垂直転送時には水平アンテナを使用し、水平転送時には垂直アンテナを使用するように制御部が切り替える。
【手続補正２７】
【補正対象書類名】明細書
【補正対象項目名】００４１
【補正方法】変更
【補正の内容】
【００４１】
メモリ１３０は、ＳＲＡＭ（Static Random Access Memory）やＳＤＲＡＭ（Synchronous Dynamic Random Access Memory）等の揮発性メモリ、又は、ＦＬＡＳＨＲＯＭ、ＥＥＰＲＯＭ、ＦＲＡＭ（登録商標）等の不揮発性メモリにより構成される。なお、メモリ１３０は、カメラモジュール１００の各種設定データの他に、カメラ部１２０で撮像して得られた画像データ、他のカメラモジュールなどから受信した画像データなどが記憶される。